(57)【要約】      （修正有）【課題】使用者の持つ身体疲労及び精神ストレスの解消や解決を図った枕又はクッションを提供する。【解決手段】枕やクッションの袋体に、天然又は合成樹脂や木材で１〜５センチ程の大きさと必要に応じて適度な弾力性を持つ球状又は角状又はそれら混合の形成物を収納する。袋体は、網目状であってもよい。偏在性と形状を持たせて、当該形成物を用いた枕等によるごつごつ感が使用者の身体、特に頭部や頸部や首筋に対する指圧力又はマッサージ力となる。【選択図】図１
0003167208.tif 000002
【実用新案登録請求の範囲】
【請求項１】
枕やクッションの袋体（網目状可）に、天然又は合成樹脂や木材で１〜５センチ程の大きさと必要に応じて適度な弾力性を持つ球状又は角状又はそれら混合の形成物を収納する。そのとき、使用者の身体、特に頭部や頸部に対する自然で安定的な支持と首筋の圧迫低減のために弾力性と柔らかさと滑らかさを勘案した偏在防止と形状での配置とはせず、逆に使用者にそれらの点で違和感（ごつごつ感）を与えるための偏在性と形状を持たせて、当該形成物を用いた枕やクッションによる違和感（ごつごつ感）が使用者の身体、特に頭部や頸部や首筋に対する指圧力又はマッサージ力となって疲労回復や精神ストレスの解消や血流促進を図ったことを特徴とするごつごつ感のある枕及びクッション。
【請求項２】
請求項１の袋体（網目状可）に、天然又は合成樹脂や木材で１〜５センチ程の大きさと必要に応じて適度な弾力性を持つ球状又は角状又はそれら混合の形成物を収納をする。そのとき、使用者の身体、特に頭部や頸部に対する自然で安定的な支持と首筋の圧迫低減のために弾力性と柔らかさと滑らかさを勘案した偏在防止と形状での配置としなかったことを特徴とする請求項１記載のごつごつ感のある枕及びクッション。
【請求項３】
請求項１及び２の形成物を、使用者の身体、特に頭部や頸部に対する自然で安定的な支持と首筋の圧迫低減のために弾力性と柔らかさと滑らかさを勘案した偏在防止と形状での配置とせずに、逆に使用者にそれらの点で違和感（ごつごつ感）を与えるための偏在性と形状を持たせたことを特徴とする請求項１記載のごつごつ感のある枕及びクッション。
【請求項４】
請求項１、２及び３の形成物を用いた枕やクッションによる違和感（ごつごつ感）が使用者の身体、特に頭部や頸部や首筋に対する指圧力又はマッサージ力となったことを特徴とする請求項１記載のごつごつ感のある枕及びクッション。
【考案の詳細な説明】
【技術分野】
【０００１】  本考案は、枕やクッションの袋体（網目状可）に、合成樹脂等で１〜５センチ程の大きさと必要に応じて適度な弾力性を持つ球状等の形成物を収納する。そのとき、使用者の身体、特に頭部や頸部に対する自然で安定的な支持と首筋の圧迫低減のために弾力性と柔らかさと滑らかさを勘案した偏在防止と形状での配置とはせず、逆に使用者にそれらの点で違和感（ごつごつ感）を与えるための偏在性と形状を持たせて、当該形成物を用いた枕やクッション（以下「枕等」）による違和感（ごつごつ感）が使用者の身体、特に頭部や頸部や首筋に対する指圧力又はマッサージ力となって疲労回復や精神ストレスの解消や血流促進を図ったごつごつ感のある枕及びクッションに関する。
【背景技術】
【０００２】  従来の枕等は、使用者が心地よく睡眠をとる道具として、一定の弾力で頭部や頸部等を自然な状態で支持して安定感を与えつつ、それらの血管圧迫の抑制や通気性確保のために常に充填物とその偏在防止や形状を最重要としている。【０００３】  充填物は、檜や合成樹脂等で作製され、かつコスト的に一定の大きさと形状のものが多く、それらは同一形状でかつ均等な弾力と柔らかと滑らかな感触を最重要としているために違和感（ごつごつ感）はない。【０００４】  しかし、それらは長時間の睡眠を心地よくし、安心させ、自然な状態とするための違和感（ごつごつ感）の低減に効果はあっても、強い身体疲労や精神ストレスの解消には不十分であり、実際には多くの使用者が熟睡できずにいる。【０００５】  そのため、彼らはストレッチやマッサージで筋肉を程良い苦痛と心地よさの中間までゆっくり緊張させつつ解したり、整体術等で苦痛に近い強い刺激を与えながら次第に筋肉を解すことで回復を図っている。【０００６】  文献１は、枕本体と枕カバーで構成され、枕カバーの空間部に数センチ程の一定の弾力を持つ球状等の充填物を収納させて枕本体と合わせ用いて、使用者の頭部等が枕カバーを押すと弾力を持つ充填物が左右に押し拡げられて通気性を確保しつつ、頭部等を支持して安定させるとしている。【０００７】  しかし、枕本体の充填物（例えば合成樹脂製の綿）の柔らかさと滑らかさ等が、当該枕カバーの充填物の違和感（ごつごつ感）等を吸収してしまい、当該枕カバー内の充填物の弾力性及び枕カバーの空間部を設けた目的、機能、特性及び効果を全て相殺させている。【０００８】
【文献１】
登録実用新案第３１０２３９４号
【考案の開示】
【考案が解決しようとする課題】
【０００９】  従来の枕等は、使用者の心地よい睡眠のために一定の弾力で頭部や頸部等を自然な状態で支持して安定感を与えつつ、血管圧迫の抑制や通気性確保のために充填物とその偏在防止や形状を勘案し最優先させている。【００１０】  例えば、充填物には合成樹脂等が多く、コスト面から一定の大きさ及び形状で市販されているため、それらは同一の弾力性と柔らかさと滑らかな感触を持っている。【００１１】  しかし、それら枕等が持つ、使用者の頭部や頸部等に対する自然で安定的な支持と首筋の圧迫低減のために弾力性と柔らかさと滑らかさを勘案した偏在防止と形状での配置では、使用者の持つ身体疲労及び精神ストレスの解消には不十分である。
【課題を解決するための手段】
【００１２】  本考案は、上記課題を解決するため、まず天然又は合成繊維等による枕等の袋体（網目状可）に、天然又は合成樹脂や木材で１〜５センチ程の大きさと、必要に応じて適度な弾力を持つ球状又は角状又はそれら混合の形成物を収納する。【００１３】  その際、袋体間又は袋体と形成物との隙間や空間調整等には、天然又は合成繊維や合成樹脂の綿等による調整材や、網状又は細かい袋又は多数の袋体又は縫い目のあるもの又は分厚い袋体等を用いて適度に調整するのが良い。【００１４】  このとき、基本的には袋体や形成物等の種類、大きさ、形状及び弾力の有無の制限はない。これは、使用者の身体的特徴、感覚及び状況が全て異なるので、求める違和感（ごつごつ感）に対する材質等も異なるからである。【００１５】  形成物は、使用者の体重等による圧力により互いに入れ替わろうとして当初の固定的な支持を失い、結果として使用者にとって適度な違和感（ごつごつ感）を感じる具合に調整されて安定することで、その効果を発揮する。
【考案の効果】
【００１６】  本考案の効果は、上記課題である「従来の枕等では使用者の身体疲労及び精神ストレスの解消は不十分」との問題を改善したことである。【００１７】  すなわち、使用者に対し、敢えて偏在性と自由な動きを持つ充填物を収納した枕等を使用者の頭部や頸部等に直接触れさせることで、その脳裏及び当該部位に適度な違和感（ごつごつ感）を与え覚えさせる。【００１８】  そして、最初は違和感（ごつごつ感）だけの苦痛だったものが次第に慣れることで、その適度な苦痛が心地よい刺激（指圧力やマッサージ力）に変化し、使用者の血流促進等が図られて疲労回復や精神ストレスの解消や解決がなされる。【００１９】  例えば、通常生活における椅子や車等での勉強や仕事や運転等は、必ずその者の姿勢を前のめりとして背中や腰椎部を外側に歪曲させ、筋肉等を緊張、萎縮及び硬化させる。【００２０】  その結果、当該筋肉等が緊張、萎縮及び硬化して脳が苦痛を感じるが、当該筋肉等に対して、（例えば足裏マッサージの如く）しっかりとした違和感（ごつごつ感）を与えることで、それが心地よい刺激（指圧力やマッサージ力）となって血流促進等が図られ疲労回復や精神ストレスの解消や解決がなされる。
【考案を実施するための最良の形態】
【００２１】  本考案について、図１及び図２に基づいて説明する。ただし、本考案はこれらに限るものではなく、作図も主要な構成物のみとする。【００２２】  図１は、本考案の実施例（１）の内部構成を示す斜視図で、外部袋体１の内側に網状の内部袋体２を設け、直径３センチ程の弾力を持つ球状体３を収納する。【００２３】  このとき、内部袋体２で当該球状体３が軽く擦れ合う程度に包み込むことで適度な偏在と自由な動きが保持できる。その際には、合成樹脂等による調整材６を用いる。また、当該球状体３を中空としても良い。【００２４】  一方、弾力のない球状体４やサイコロ型の角状体５を用いる場合も、例えば角を僅か落としたり上記袋体１、２の厚み調整や調整材６等により、当初から違和感（ごつごつ感）を低減させて調整し適度な苦痛を心地良さに変化させる。【００２５】  図２は、上記実施例（１）におけるＡ−Ａ断面図で、外部袋体１、内部袋体２及び弾力を持つ球状体３を図示している。このとき、当該球状体３がピラミッド的多段状態であるが、使用者の頭部等の圧力（重みや押す力等）によりその位置は自由に動き偏在する。【００２６】  これにより、使用者は違和感（ごつごつ感）だけの苦痛に次第に慣れ、それが心地よい刺激（指圧力又は又はマッサージ力）に変化して血流促進等が図られ、結果として疲労回復や精神ストレスの解消や解決がなされる。【００２７】  なお、外観上は中央部が盛り上がっている程度であるが、使用時に自由に変形することでその機能及び特性は発揮されることになる。
【図面の簡単な説明】
【００２８】
【図１】本考案の実施例（１）の内部構成を示す斜視図
【図２】本考案の実施例（１）のＡーＡ断面図。
【符号の説明】
【００２９】１      外部袋体
２      内部袋体（網目状）
３      球状体（弾力あり）
４      球状体（弾力なし）
５      角状体
６      調整材
【図１】
0003167208.tif 000003
【図２】
0003167208.tif 000004
【手続補正書】
【提出日】平成23年1月20日(2011.1.20)
【手続補正１】
【補正対象書類名】実用新案登録請求の範囲
【補正対象項目名】全文
【補正方法】変更
【補正の内容】
【実用新案登録請求の範囲】
【請求項１】
枕やクッションの網目状であってもよい袋体に、天然又は合成樹脂や木材で１〜５センチ程の大きさと必要に応じて適度な弾力性を持つ球状又は角状又はそれら混合の形成物を収納するが、そのとき、使用者の身体、特に頭部や頸部に対する自然で安定的な支持と首筋の圧迫低減のために弾力性と柔らかさと滑らかさを勘案した偏在防止と形状での配置とはせず、逆に使用者にそれらの点でごつごつ感を与えるための偏在性と形状を持たせて、当該形成物を用いた枕やクッションによるごつごつ感が使用者の身体、特に頭部や頸部や首筋に対する指圧力又はマッサージ力となって疲労回復や精神ストレスの解消や血流促進を図ったことを特徴とするごつごつ感のある枕又はクッション。
【請求項２】
前記網目状であってもよい袋体に、天然又は合成樹脂や木材で１〜５センチ程の大きさと必要に応じて適度な弾力性を持つ球状又は角状又はそれら混合の形成物を収納をするが、そのとき、使用者の身体、特に頭部や頸部に対する自然で安定的な支持と首筋の圧迫低減のために弾力性と柔らかさと滑らかさを勘案した偏在防止と形状での配置としなかったことを特徴とする請求項１記載のごつごつ感のある枕又はクッション。
【請求項３】
前記形成物を、使用者の身体、特に頭部や頸部に対する自然で安定的な支持と首筋の圧迫低減のために弾力性と柔らかさと滑らかさを勘案した偏在防止と形状での配置とせずに、逆に使用者にそれらの点でごつごつ感を与えるための偏在性と形状を持たせたことを特徴とする請求項１記載のごつごつ感のある枕又はクッション。
【請求項４】
前記形成物を用いた枕やクッションによるごつごつ感が使用者の身体、特に頭部や頸部や首筋に対する指圧力又はマッサージ力となったことを特徴とする請求項１記載のごつごつ感のある枕又はクッション。
【手続補正２】
【補正対象書類名】明細書
【補正対象項目名】０００１
【補正方法】変更
【補正の内容】
【０００１】  本考案は、枕やクッションの網目状であってもよい袋体に、合成樹脂等で１〜５センチ程の大きさと必要に応じて適度な弾力性を持つ球状等の形成物を収納するが、そのとき、使用者の身体、特に頭部や頸部に対する自然で安定的な支持と首筋の圧迫低減のために弾力性と柔らかさと滑らかさを勘案した偏在防止と形状での配置とはせず、逆に使用者にそれらの点でごつごつ感を与えるための偏在性と形状を持たせて、当該形成物を用いた枕やクッション（以下「枕等」）によるごつごつ感が使用者の身体、特に頭部や頸部や首筋に対する指圧力又はマッサージ力となって疲労回復や精神ストレスの解消や血流促進を図ったごつごつ感のある枕又はクッションに関する。
【手続補正３】
【補正対象書類名】明細書
【補正対象項目名】０００３
【補正方法】変更
【補正の内容】
【０００３】  充填物は、檜や合成樹脂等で作製され、かつコスト的に一定の大きさと形状のものが多く、それらは同一形状でかつ均等な弾力と柔らかと滑らかな感触を最重要としているためにごつごつ感はない。
【手続補正４】
【補正対象書類名】明細書
【補正対象項目名】０００４
【補正方法】変更
【補正の内容】
【０００４】  しかし、それらは長時間の睡眠を心地よくし、安心させ、自然な状態とするためのごつごつ感の低減に効果はあっても、強い身体疲労や精神ストレスの解消には不十分であり、実際には多くの使用者が熟睡できずにいる。
【手続補正５】
【補正対象書類名】明細書
【補正対象項目名】０００７
【補正方法】変更
【補正の内容】
【０００７】  しかし、枕本体の充填物（例えば合成樹脂製の綿）の柔らかさと滑らかさ等が、当該枕カバーの充填物のごつごつ感等を吸収してしまい、当該枕カバー内の充填物の弾力性及び枕カバーの空間部を設けた目的、機能、特性及び効果を全て相殺させている。
【手続補正６】
【補正対象書類名】明細書
【補正対象項目名】００１２
【補正方法】変更
【補正の内容】
【００１２】  本考案は、上記課題を解決するため、まず天然又は合成繊維等による枕等の網目状であってもよい袋体に、天然又は合成樹脂や木材で１〜５センチ程の大きさと、必要に応じて適度な弾力を持つ球状又は角状又はそれら混合の形成物を収納する。
【手続補正７】
【補正対象書類名】明細書
【補正対象項目名】００１４
【補正方法】変更
【補正の内容】
【００１４】  このとき、基本的には袋体や形成物等の種類、大きさ、形状及び弾力の有無の制限はない。これは、使用者の身体的特徴、感覚及び状況が全て異なるので、求めるごつごつ感に対する材質等も異なるからである。
【手続補正８】
【補正対象書類名】明細書
【補正対象項目名】００１５
【補正方法】変更
【補正の内容】
【００１５】  形成物は、使用者の体重等による圧力により互いに入れ替わろうとして当初の固定的な支持を失い、結果として使用者にとって適度なごつごつ感を感じる具合に調整されて安定することで、その効果を発揮する。
【手続補正９】
【補正対象書類名】明細書
【補正対象項目名】００１７
【補正方法】変更
【補正の内容】
【００１７】  すなわち、使用者に対し、敢えて偏在性と自由な動きを持つ充填物を収納した枕等を使用者の頭部や頸部等に直接触れさせることで、その脳裏及び当該部位に適度なごつごつ感を与え覚えさせる。
【手続補正１０】
【補正対象書類名】明細書
【補正対象項目名】００１８
【補正方法】変更
【補正の内容】
【００１８】  そして、最初はごつごつ感だけの苦痛だったものが次第に慣れることで、その適度な苦痛が心地よい刺激（指圧力やマッサージ力）に変化し、使用者の血流促進等が図られて疲労回復や精神ストレスの解消や解決がなされる。
【手続補正１１】
【補正対象書類名】明細書
【補正対象項目名】００２０
【補正方法】変更
【補正の内容】
【００２０】  その結果、当該筋肉等が緊張、萎縮及び硬化して脳が苦痛を感じるが、当該筋肉等に対して、（例えば足裏マッサージの如く）しっかりとしたごつごつ感を与えることで、それが心地よい刺激（指圧力やマッサージ力）となって血流促進等が図られ疲労回復や精神ストレスの解消や解決がなされる。
【手続補正１２】
【補正対象書類名】明細書
【補正対象項目名】００２４
【補正方法】変更
【補正の内容】
【００２４】  一方、弾力のない球状体４やサイコロ型の角状体５を用いる場合も、例えば角を僅か落としたり上記袋体１、２の厚み調整や調整材６等により、当初からごつごつ感を低減させて調整し適度な苦痛を心地良さに変化させる。
【手続補正１３】
【補正対象書類名】明細書
【補正対象項目名】００２６
【補正方法】変更
【補正の内容】
【００２６】  これにより、使用者はごつごつ感だけの苦痛に次第に慣れ、それが心地よい刺激（指圧力又は又はマッサージ力）に変化して血流促進等が図られ、結果として疲労回復や精神ストレスの解消や解決がなされる。